(57)【要約】【課題】指向性の強い光源を利用した場合あるいはモジュールを薄型化した場合でも、被照明体に対する照明をムラなく均一に行うことが可能な光源モジュールを提供する。【解決手段】この光源モジュール１００は、ＬＥＤパッケージ２０と、ＬＥＤパッケージ２０からの光を部分的に遮るライティングカーテン５０と、ライティングカーテン５０に設けられ、ライティングカーテン５０よりも小さい平面形状を有する反射シート片６０とを備える。【選択図】図１
2012174634.tif 000002
【特許請求の範囲】
【請求項１】
光源と、
前記光源からの光を部分的に遮るライティングカーテンと、
前記ライティングカーテンに設けられ、前記ライティングカーテンよりも小さい平面形状を有する反射層とを備えることを特徴とする、光源モジュール。
【請求項２】
前記ライティングカーテンは開口によって透過部が設けられた反射板からなることを特徴とする、請求項１に記載の光源モジュール。
【請求項３】
前記反射層には、前記ライティングカーテンの開口と重なる開口孔が設けられていることを特徴とする、請求項２に記載の光源モジュール。
【請求項４】
前記反射層は粘着層を介して前記ライティングカーテンに固定され、
前記粘着層が前記反射層の開口孔を避けた領域に設けられることを特徴とする、請求項３に記載の光源モジュール。
【請求項５】
前記ライティングカーテンの開口の少なくとも一部が前記反射層と重なることを特徴とする、請求項２〜４のいずれか１項に記載の光源モジュール。
【請求項６】
前記ライティングカーテンは、反射材の印刷により透過部と遮光部とが設けられた板状部材からなることを特徴とする、請求項１に記載の光源モジュール。
【請求項７】
前記ライティングカーテンは、
透明板と、
前記透明板の両面に前記反射材が印刷されることによって形成された印刷層とを含むことを特徴とする、請求項６に記載の光源モジュール。
【請求項８】
前記反射層が独立したシート状に形成されており、
シート状の前記反射層が粘着層を介して前記ライティングカーテンに固定されていることを特徴とする、請求項１に記載の光源モジュール。
【請求項９】
前記粘着層はシート状の前記反射層に粘着材が印刷されることによって形成されることを特徴とする、請求項８に記載の光源モジュール。
【請求項１０】
前記粘着層は前記ライティングカーテンに粘着材が印刷されることによって形成されることを特徴とする、請求項８に記載の光源モジュール。
【請求項１１】
前記粘着層が耐紫外線性を有することを特徴とする、請求項８〜１０のいずれか１項に記載の光源モジュール。
【請求項１２】
前記粘着層が透明であることを特徴とする、請求項８に記載の光源モジュール。
【請求項１３】
前記粘着層が白色であることを特徴とする、請求項８に記載の光源モジュール。
【請求項１４】
シート状の前記反射層が、前記粘着層を有する両面テープによって前記ライティングカーテンに固定されることを特徴とする、前記請求項８に記載の光源モジュール。
【請求項１５】
前記両面テープが白色の基材を有することを特徴とする、請求項１４に記載の光源モジュール。
【請求項１６】
前記両面テープが透明の基材を有することを特徴とする、請求項１４に記載の光源モジュール。
【請求項１７】
前記両面テープが基材を有さない構成であることを特徴とする、請求項１４に記載の光源モジュール。
【請求項１８】
前記反射層は、基材に反射材が印刷された第１反射部材からなることを特徴とする、請求項１に記載の光源モジュール。
【請求項１９】
前記反射層は、成形された反射シートに反射材が印刷された第２反射部材からなることを特徴とする、請求項１に記載の光源モジュール。
【請求項２０】
前記光源は前記ライティングカーテンの一方の面側に配されており、
前記反射層は前記ライティングカーテンにおける前記光源側の面に設けられていることを特徴とする、請求項１に記載の光源モジュール。
【請求項２１】
前記光源は前記ライティングカーテンの一方の面側に配されており、
前記反射層は前記ライティングカーテンにおける前記光源とは反対側の面に設けられていることを特徴とする、請求項１に記載の光源モジュール。
【請求項２２】
前記光源は前記ライティングカーテンの一方の面側に配されており、
前記反射層は前記ライティングカーテンにおける前記光源側の面および前記光源とは反対側の面にそれぞれ設けられていることを特徴とする、請求項１に記載の光源モジュール。
【請求項２３】
前記反射層は、
前記ライティングカーテンに固定される第１反射層と、
前記第１反射層よりも小さい平面形状を有し、前記第１反射層に固定される第２反射層とを含むことを特徴とする、請求項１に記載の光源モジュール。
【請求項２４】
前記反射層は、平面的に見て、略円形状であることを特徴とする、請求項１に記載の光源モジュール。
【請求項２５】
前記反射層は、平面的に見て、略四角形状であることを特徴とする、請求項１に記載の光源モジュール。
【請求項２６】
前記反射層は、前記ライティングカーテンよりも小さい厚みを有することを特徴とする、請求項１に記載の光源モジュール。
【請求項２７】
前記反射層は、前記ライティングカーテンに印刷にて形成および固定されることを特徴とする、請求項２に記載の光源モジュール。
【請求項２８】
前記反射層が白色インクにより形成されることを特徴とする、請求項２７に記載の光源モジュール。
【請求項２９】
前記反射層が金属インクにより形成されることを特徴とする、請求項２８に記載の光源モジュール。
【請求項３０】
前記反射層の少なくとも一部が封止材により封止されることを特徴とする、請求項１に記載の光源モジュール。
【請求項３１】
前記光源は発光ダイオードからなることを特徴とする、請求項１に記載の光源モジュール。
【請求項３２】
前記光源を複数有することを特徴とする、請求項１に記載の光源モジュール。
【請求項３３】
光を部分的に遮るライティングカーテンと、
前記ライティングカーテンに設けられ、前記ライティングカーテンよりも小さい平面形状を有する反射層とを備えることを特徴とする、光学部材。
【発明の詳細な説明】
【技術分野】
【０００１】
本発明は、光源モジュールおよびその光源モジュールに用いられる光学部材に関する。
【背景技術】
【０００２】
従来、面状の照明光を生成して被照明体を照明する光源モジュールが知られており、液晶表示装置に設置されるバックライトユニットなどとして使用されている（たとえば、特許文献１参照）。
【０００３】
従来では、光源モジュールの光源として、水銀やキセノンを蛍光管の内部に封入したＣＣＦＬ（冷陰極蛍光ランプ）などが主に使用されていた。しかし、ＣＣＦＬを光源モジュールの光源とした場合、発光輝度や寿命が不十分であった。さらに、低圧側の輝度が低くなることで均整のとれた発光が得られ難くなるという不都合もあった。そこで、このような不都合を解消するために、ＣＣＦＬに代えてＬＥＤ（発光ダイオード）パッケージを光源とした光源モジュールが提案されている。
【０００４】
以下に、図４３を参照して、従来の提案された光源モジュールの構成の一例について簡単に説明する。
【０００５】
従来の提案された光源モジュールでは、図４３に示すように、光出射用の開口を持つ筐体７１０の内部に光源である複数のＬＥＤパッケージ７２０が収容されている。また、筐体７１０の内部には、光の反射を行う反射シート７３０も収容されている。反射シート７３０には露出穴が形成されており、この露出穴からＬＥＤパッケージ７２０が露出（突出）されている。
【０００６】
また、筐体７１０の開口にはライティングカーテン７４０が取り付けられており、このライティングカーテン７４０によって筐体７１０の開口が塞がれている。そして、ライティングカーテン７４０の所定面（ＬＥＤパッケージ７２０に向けられた面とは反対側の面）上には、光の拡散を行う拡散板７５０が配置されている。
【０００７】
ここで、ＬＥＤパッケージ７２０から出射されてライティングカーテン７４０に入射される光の強度は、ライティングカーテン７４０の部位により異なる。このため、ライティングカーテン７４０のうちの光の入射量が多い部分には、光の透過量が少なくなるような処理が施されている。その一方、ライティングカーテン７４０のうちの光の入射量が少ない部分には、光の透過量が多くなるような処理が施されている。これにより、ライティングカーテン７４０から出射される面状光には輝度ムラが発生し難くなる。そして、ライティングカーテン７４０の所定面から出射された光は、拡散板７５０によって拡散された後、照明光として被照明体を照明することになる。
【０００８】
なお、部位により透過率が異なるようにライティングカーテンを構成する方法としては、種々の方法が知られている。たとえば、特許文献２では、反射材が塗布された透明板からライティングカーテンを構成し、反射材の塗布パターンによって透過率を調整している。また、特許文献３では、開口を有する反射板からライティングカーテンを構成し、その開口によって透過率を調整している。さらに、特許文献２と類似の方法として、特許文献４には、特許文献２の透明板に代えて拡散板を用いた構成が開示されている。この特許文献４では、複数のライティングカーテンが積層されて用いられている。
【先行技術文献】
【特許文献】
【０００９】
【特許文献１】特開昭６４−７２１９３号公報
【特許文献２】特開２０１０−１９２３０１号公報
【特許文献３】特開２００９−１１０６９６号公報
【特許文献４】特開２００２−３１３１０３号公報
【発明の概要】
【発明が解決しようとする課題】
【００１０】
光源モジュールの光源としてＬＥＤパッケージを用いた場合、光源としてのＬＥＤパッケージはＣＣＦＬに比べて指向性が強いため、光源の直上付近により多くの光が集まる。この傾向は光源モジュールの厚みが減少するにしたがい顕著となる。すなわち、光源モジュールを薄型化することにより、光源の直上付近により強い光が照射される。このように、ライティングカーテンの特定部分に際だって多くの光が照射される場合、ライティングカーテンにはその光を十分に遮るための遮光能力が要求される。
【００１１】
しかしながら、特許文献１〜３に記載のライティングカーテンはその遮光能力が必ずしも十分なものではない。そのため、従来の光源モジュールに特許文献１〜３に記載のライティングカーテンを用いた場合、遮光能力が不十分となり、遮光されるべき部分から光が過剰に透過してしまう。そのため、光が過剰に透過することによってその部分が明るくなってしまうので、面状の照明光に輝度ムラが生じる。
【００１２】
なお、特許文献３に記載のライティングカーテンにおいて、ライティングカーテンを構成する反射板の厚みを大きくすれば高い遮光能力を得ることは可能である。しかしながら、この場合、ライティングカーテンの厚みが大きくなることに起因して、光源モジュールの厚みが増加するという不都合が生じる。また、反射板（ライティングカーテン）の厚みが大きくなると開口の加工も困難になるため、輝度ムラを効果的に抑制することが可能なライティングカーテン（光源モジュール）を得ることが困難になるという不都合も生じる。
【００１３】
また、特許文献４に記載のように、複数のライティングカーテンを積層した場合には、高い遮光能力を得ることができるものの、この場合も、ライティングカーテンの厚みが増加するため、光源モジュールの厚みが増加するという不都合が生じる。また、この場合、ライティングカーテン間の位置ズレや、組立工数が増加するなどの不都合が新たに生じる。このため、特許文献３および４に記載のライティングカーテンの構成では、十分な解決策とはならない。
【００１４】
このように、従来の光源モジュールでは、指向性の強い光源を利用した場合あるいはモジュールを薄型化した場合に均一な照明光を得ることが困難であるという問題点がある。また、従来の光源モジュールでは、指向性の強い光源を利用した場合に均一な照明光を得ようとすると、モジュールの薄型化が困難になるという問題点もある。
【００１５】
特に、液晶テレビでは厚みが薄い商品が好まれるため、バックライトユニットとして使用する光源モジュールも薄く構成することが望まれる。しかしながら、光源モジュールを薄くすることにより輝度ムラの問題が深刻となる。
【００１６】
この発明は、上記のような課題を解決するためになされたものであり、この発明の１つの目的は、指向性の強い光源を利用した場合あるいはモジュールを薄型化した場合でも、被照明体に対する照明をムラなく均一に行うことが可能な光源モジュールを提供することである。
【００１７】
この発明のもう１つの目的は、指向性の強い光源を用いた場合でも、モジュールの薄型化を図りつつ、輝度ムラの抑制された均一な照明光を発することが可能な光源モジュールを提供することである。
【００１８】
この発明のさらにもう１つの目的は、十分な遮光能力を有し、光の均一性を向上させることが可能な光学部材を提供することである。
【課題を解決するための手段】
【００１９】
上記目的を達成するために、本発明の第１の局面による光源モジュールは、光源と、その光源からの光を部分的に遮るライティングカーテンと、ライティングカーテンに設けられ、ライティングカーテンよりも小さい平面形状を有する反射層とを備えている。
【００２０】
第１の局面による光源モジュールでは、上記のように、ライティングカーテンに反射層を設けることによって、ライティングカーテンの一部の領域に光源から多量の光が照射された場合に、その光を反射層とライティングカーテンとの両方で遮光することができる。このため、十分な遮光能力を得ることができるので、ライティングカーテンの特定部分に際だって多くの光が照射される場合でも、その光を十分に遮光することができる。そのため、指向性の強い光源を利用した場合あるいはモジュールを薄型化した場合でも、ライティングカーテンを通して出射される光（照明光）に輝度ムラを生じ難くすることができる。
【００２１】
また、第１の局面では、反射層をライティングカーテンよりも小さい平面形状とすることによって、光源から多量の光が照射される一部の領域のみに反射層を設けることができる。これにより、ライティングカーテンの遮光能力を向上させるために、ライティングカーテンの厚みを大きくしたり、複数のライティングカーテンを積層したりする場合に比べて、素材コストの増加および重量の増加等を抑制することができる。また、ライティングカーテンに反射層を設けた場合には、ライティングカーテン自体の厚みは増加しないため、ライティングカーテンの厚みが増加することに起因して、光源モジュールの厚みが増加するという不都合が生じるのを抑制することもできる。
【００２２】
このように、第１の局面による光源モジュールでは、指向性の強い光源を利用した場合でも、モジュールの薄型化を図ることができる。また、そのように構成した場合でも、輝度ムラの抑制された均一な照明光を発することができる。
【００２３】
さらに、第１の局面では、上記のように構成することによって、複数のライティングカーテンを用いることなく遮光能力を向上させることができる。このため、複数のライティングカーテンを用いた場合に生じる不都合を回避することができる。たとえば、光源モジュールの組立時に複数のライティングカーテンを取り付けかつ各ライティングカーテンの位置合わせを考慮する必要がなくなる。そのため、ライティングカーテンの取り付け精度の向上、取り付け工程のコスト削減、取り付け工程のスループット向上等を実現することが可能となる。
【００２４】
上記第１の局面による光源モジュールにおいて、ライティングカーテンには、開口によって透過部が設けられた反射板からなるライティングカーテンを用いることができる。このようなライティングカーテンに反射層を設けることによって、容易に、被照明体に対する照明をムラなく均一に行うことが可能な光源モジュールを得ることができる。
【００２５】
この場合において、反射層には、ライティングカーテンの開口と重なる開口孔を設けることもできる。このように構成すれば、高い遮光能力を持つ部分を開口と隣接させることができるので、開口の周囲にわたって遮光能力を高めることができる。
【００２６】
上記反射層は粘着層を介してライティングカーテンに固定することができる。また、反射層に開口孔が設けられる場合、粘着層は反射層の開口孔を避けた領域に設けられるのが好ましい。
【００２７】
上記ライティングカーテンに、開口によって透過部が設けられた反射板からなるライティングカーテンを用いる場合、ライティングカーテンの開口の少なくとも一部が反射層と重なるように構成されていてもよい。このように構成すれば、たとえば、ライティングカーテンでは透過されるが反射層では反射される中間的な遮光能力を持つ領域を形成することができる。これにより、光源モジュールの設計自由度を向上させることができる。
【００２８】
上記第１の局面による光源モジュールにおいて、ライティングカーテンは、反射材の印刷により透過部と遮光部とが設けられた板状部材から構成することもできる。このようなライティングカーテンに反射層を設けることによっても、容易に、被照明体に対する照明をムラなく均一に行うことが可能な光源モジュールを得ることができる。
【００２９】
この場合において、ライティングカーテンは、透明板と、この透明板の両面に反射材が印刷されることによって形成された印刷層とを含む構成とされているのが好ましい。このように構成すれば、透明板の両面に印刷層が形成されるので、ライティングカーテンの遮光能力を向上させることができる。この際、光源から出射される光のうち一定以上の強度となる角度へ出射される光が、透明板のいずれかの面に印刷された反射材（印刷層）または反射層に照射されるように各面の反射材の印刷パターンならびに反射層の位置および形状が設定されているとより好ましい。
【００３０】
上記第１の局面による光源モジュールにおいて、反射層が独立したシート状に形成されており、シート状の反射層が粘着層を介してライティングカーテンに固定されているのが好ましい。
【００３１】
この場合、粘着層はシート状の反射層に粘着材が印刷されることによって形成されていてもよいし、ライティングカーテンに粘着材が印刷されることによって形成されていてもよい。また、粘着層（粘着材）は耐紫外線性を有しているのが好ましい。さらに、粘着層（粘着材）は透明あるいは白色であるのが好ましい。
【００３２】
また、シート状の反射層は粘着層を有する両面テープによってライティングカーテンに固定することもできる。この両面テープは、基材を有する両面テープであってもよいが、基材を有しない両面テープであればより好ましい。両面テープが基材を有する場合、その基材は透明あるいは白色であるのが好ましい。
【００３３】
また、上記第１の局面による光源モジュールにおいて、反射層は基材に反射材が印刷された第１反射部材から構成されているのが好ましい。このように構成すれば、光を反射させる領域（反射材が印刷された反射領域）を複雑なパターンや微細なパターンに形成することができる。このため、遮光性を高める必要のある領域に精度よく反射材を形成することができるので、その領域の遮光性を容易に高めることができる。
【００３４】
上記第１の局面による光源モジュールにおいて、反射層は成形された反射シートに反射材が印刷された第２反射部材から構成されていてもよい。このように構成すれば、反射層が、反射シートとその上に印刷された反射材とによって構成されるので、反射層が複数の層から構成されることになる。このため、反射層の反射能力を容易に高めることができるので、反射層が設けられたライティングカーテンの遮光能力も容易に高めることができる。
【００３５】
上記第１の局面による光源モジュールにおいて、光源はライティングカーテンの一方の面側に配することができる。この場合、反射層はライティングカーテンにおける光源側の面に設けてもよいし、ライティングカーテンにおける光源とは反対側の面に設けてもよい。また、反射層はライティングカーテンにおける光源側の面および光源とは反対側の面のそれぞれに設けてもよい。
【００３６】
上記第１の局面による光源モジュールにおいて、好ましくは、反射層は、ライティングカーテンに固定される第１反射層と、第１反射層よりも小さい平面形状を有し、第１反射層に固定される第２反射層とを含む。このように構成すれば、遮光能力をさらに高めることができる。
【００３７】
上記第１の局面による光源モジュールにおいて、反射層は、平面的に見て、略円形状あるいは略四角形状であるのが好ましい。このように構成すれば、反射層の形状の設計において、反射層への照射の判定の計算を高速に行うことができるため、設計効率の向上が見込める。また、反射層の厚みが小さい場合、反射層の厚みを０（ゼロ）として効率的に上記計算を行うことができる。そのため、反射層の厚みはライティングカーテンよりも小さく構成されているのが好ましい。
【００３８】
また、上記ライティングカーテンが、開口によって透過部が設けられた反射板から構成されている場合、反射層は、ライティングカーテンに印刷にて形成および固定されているのが好ましい。このように構成すれば、簡易な手段にて局所的にライティングカーテンの遮光能力を高めることができる。
【００３９】
この場合において、ライティングカーテンに白色インクを印刷することにより反射層を形成および固定するのが好ましい。このように、印刷に白色インクを用いることにより、その後の光線の色の変化を抑制して遮光能力を高めることができる。また、白色インク以外にたとえば金属インクをライティングカーテンに印刷することにより反射層を形成および固定してもよい。印刷に金属インクを用いることにより、薄い印刷であっても（印刷層の厚みが小さい場合でも）、高い遮光能力を得ることができる。
【００４０】
上記第１の局面による光源モジュールにおいて、好ましくは、反射層の少なくとも一部が封止材により封止される。このように構成すれば、反射層の脱落を容易に防止することができる。
【００４１】
上記第１の局面による光源モジュールにおいて、上記光源は発光ダイオードから構成されているのが好ましい。
【００４２】
また、上記第１の局面による光源モジュールは、複数の光源を有しているのが好ましい。
【００４３】
本発明の第２の局面による光学部材は、光を部分的に遮るライティングカーテンと、このライティングカーテンに設けられ、ライティングカーテンよりも小さい平面形状を有する反射層とを備える。このように構成すれば、光学部材の一部の領域において、遮光能力を高めることができるので、一部の領域に多量の光が照射された場合でも、その光を十分に遮光することができる。そのため、このような光学部材を光源モジュールに用いた場合、光源モジュールから出射される光の均一性を向上させることができる。
【発明の効果】
【００４４】
以上のように、本発明によれば、指向性の強い光源を利用した場合あるいはモジュールを薄型化した場合でも、被照明体に対する照明をムラなく均一に行うことが可能な光源モジュールを容易に得ることができる。
【００４５】
また、本発明によれば、指向性の強い光源を用いた場合でも、モジュールの薄型化を図りつつ、輝度ムラの抑制された均一な照明光を発することが可能な光源モジュールを容易に得ることができる。
【００４６】
さらに、本発明によれば、十分な遮光能力を有し、光の均一性を向上させることが可能な光学部材を容易に得ることができる。
【図面の簡単な説明】
【００４７】
【図１】本発明の第１実施形態による光源モジュールの断面図である。
【図２】図１の一部を拡大して示した断面図である。
【図３】本発明の第１実施形態による光源モジュールを模式的に示した斜視図（光源モジュールをバックライトユニットとして用いた液晶表示装置の斜視図）である。
【図４】本発明の第１実施形態による光源モジュールを一部破断して示した平面図である。
【図５】本発明の第１実施形態による光源モジュールの反射シート片の斜視図である。
【図６】本発明の第１実施形態による光源モジュールの光学部材の一部を示した平面図である。
【図７】本発明の第１実施形態による光源モジュールの光学部材の一部を示した斜視図である。
【図８】ＣＣＦＬを光源として用いた場合の配光特性を説明するための断面図である。
【図９】ＣＣＦＬを光源として用いた場合の配光特性を説明するための特性図である。
【図１０】ＬＥＤパッケージを光源として用いた場合の配光特性を説明するための断面図である。
【図１１】ＬＥＤパッケージを光源として用いた場合の配光特性を説明するための特性図である。
【図１２】本発明の第２実施形態による光源モジュールの断面図である。
【図１３】図１２の一部を拡大して示した断面図である。
【図１４】本発明の第２実施形態による光源モジュールにおける反射シート片の斜視図である。
【図１５】本発明の第２実施形態による光源モジュールにおけるライティングカーテンの一部を示した平面図である。
【図１６】本発明の第３実施形態による光源モジュールの断面図である。
【図１７】図１６の一部を拡大して示した断面図である。
【図１８】本発明の第３実施形態による光源モジュールにおける反射シート片の斜視図である。
【図１９】本発明の第３実施形態による光源モジュールにおけるライティングカーテンの一部を示した平面図である。
【図２０】本発明の第４実施形態による光源モジュールの断面図である。
【図２１】図２０の一部を拡大して示した断面図である。
【図２２】本発明の第４実施形態による光源モジュールにおけるライティングカーテンの一部を示した平面図である。
【図２３】本発明の第５実施形態による光源モジュールの断面図である。
【図２４】図２０の一部を拡大して示した断面図である。
【図２５】本発明の第５実施形態による光源モジュールにおけるライティングカーテンの一部を拡大して示した断面図である。
【図２６】本発明の第６実施形態による光源モジュールの断面図である。
【図２７】図２６の一部を拡大して示した断面図である。
【図２８】本発明の第６実施形態による光源モジュールにおける反射シート片を示した斜視図である。
【図２９】本発明の第６実施形態による反射シート片の取り付け状態を示した断面図である。
【図３０】本発明の第７実施形態による光源モジュールの断面図である。
【図３１】図３０の一部を拡大して示した断面図である。
【図３２】本発明の第８実施形態による光源モジュールの光学部材の一部を示した断面図である。
【図３３】本発明の第８実施形態による光源モジュールの光学部材の一部（他の例）を示した断面図である。
【図３４】本発明の第９実施形態による光源モジュールの断面図である。
【図３５】図３４の一部を拡大して示した断面図である。
【図３６】本発明の第１０実施形態による光源モジュールの断面図である。
【図３７】図３６の一部を拡大して示した断面図である。
【図３８】本発明の第１１実施形態による光学部材の一部を示した平面図である。
【図３９】本発明の第１１実施形態による光学部材の一部を示した平面図である。
【図４０】本発明の第１１実施形態による光学部材の一部を示した平面図である。
【図４１】本発明の第１１実施形態による光学部材の一部を示した平面図である。
【図４２】本発明の第１２実施形態による光学部材の一部を示した平面図である。
【図４３】従来の提案された光源モジュールの構成の一例を示した断面図である。
【発明を実施するための形態】
【００４８】
以下、本発明を具体化した実施形態を図面に基づいて詳細に説明する。
【００４９】
（第１実施形態）
図１は、本発明の第１実施形態による光源モジュールの断面図である。図２は、図１の一部を拡大して示した断面図である。図３は、本発明の第１実施形態による光源モジュールを模式的に示した斜視図である。図４〜図７は、本発明の第１実施形態による光源モジュールを説明するための図である。まず、図１〜図７を参照して、本発明の第１実施形態による光源モジュールについて説明する。
【００５０】
第１実施形態による光源モジュール１００は、図１〜図３に示すように、筐体１０、ＬＥＤパッケージ２０、反射シート３０および光学部材４０を含んで構成されている。光学部材４０は、ライティングカーテン５０とこのライティングカーテン５０に固定される複数の反射シート片６０とを有している。また、ライティングカーテン５０の上方には、光を拡散させる拡散板７０が配されている。なお、ＬＥＤパッケージ２０は、本発明の「光源」の一例であり、反射シート片６０は、本発明の「反射層」の一例である。
【００５１】
筐体１０は、光出射用の開口１１を有する略箱状の部材であり、底部１２とその底部１２の外周に設けられた側部１３とを含む。この筐体１０は、たとえば、金属製の板状部材を加工することによって形成されている。そして、その底面にＬＥＤパッケージ２０および反射シート３０を敷き詰めることで、これらを収容する。また、筐体１０の側部１３で囲まれた領域は略長方形形状（略矩形形状）となっており、その略長方形形状の領域がＬＥＤパッケージ２０および反射シート３０を収容する収容領域とされている。
【００５２】
光源としてのＬＥＤパッケージ２０は、実装基板（図示せず）上に実装された状態で筐体１０の内部に収容されている。実装基板は、板状かつ矩形状の基板であり、その実装面上に複数の電極が配列されている。そして、これらの電極上にＬＥＤパッケージ２０が取り付けられている。また、複数のＬＥＤパッケージ２０は同一の実装基板に実装されることでモジュール化されている。
【００５３】
ＬＥＤパッケージ２０は、実装基板における実装面に形成された電極上に実装されることで電流の供給を受けて光を発する。また、図３に示すように、光源としてのＬＥＤパッケージは、筐体１０の収容領域に複数搭載されている。これら複数のＬＥＤパッケージ２０は、それぞれ、その発光面から白色の光が発せられる構造になっている。また、複数のＬＥＤパッケージ２０は、筐体１０の収容領域（筐体１０の底面１２上）に、二次元状（たとえば、格子状）に配置されている。
【００５４】
ＬＥＤパッケージ２０は、トップビュータイプである。このタイプのＬＥＤパッケージは直上方向に強い指向性を有するものが多い。そのため、ＬＥＤパッケージ２０の配光特性もこれに準ずるものとする。
【００５５】
なお、ＬＥＤパッケージ２０の構造としては、特に限定されるものではないが、たとえば、青色光を黄色に変換する蛍光体と青色ＬＥＤ素子とを組み合わせたものとされている。あるいは、青色光を緑色および赤色にそれぞれ変換する蛍光体と青色ＬＥＤ素子とを組み合わせてもよいし、赤色ＬＥＤ素子、緑色ＬＥＤ素子および青色ＬＥＤ素子の３種類のＬＥＤ素子を組み合わせてもよい。
【００５６】
反射シート３０は、光を反射させる機能を有しており、たとえば、樹脂製のシート部材を加工することによって形成されている。また、反射シート３０は、底部３１とこの底部３１の外周に設けられた側部３２とを有している。反射シート３０の底部３１には、複数の露出穴３３が設けられている。これら露出穴３３は、二次元状に配置されたＬＥＤパッケージ２０と対応するように形成されている。
【００５７】
そして、図２〜図４に示すように、上記反射シート３０は、ＬＥＤパッケージ２０の一部が露出穴３３から露出（突出）するようにして、複数のＬＥＤパッケージ２０とともに筐体１０の収容領域に収容されている。これにより、筐体１０の底面１２および実装基板の実装面が反射シート３０の底部３１によって覆われ、筐体１０の内側面が反射シート３０の側部３２によって覆われる。このように、上記反射シート３０を筐体１０の内部に設けることによって、反射シート３０で光の反射が行われるため、被照明体側に進行する光が増大する。そのため、光の利用効率が向上する。
【００５８】
光学部材４０を構成するライティングカーテン５０は、筐体１０の開口部分に、この開口１１を塞ぐように取り付けられている。このライティングカーテン５０は、ＬＥＤパッケージ２０の上方に、筐体１０の底部１２と面するように取り付けられている。このため、ＬＥＤパッケージ２０から光が発せられると、その光がライティングカーテン５０に入射される。ライティングカーテン５０は、ＬＥＤパッケージ２０からの光を部分的に遮ることで、輝度ムラの発生を抑制する機能を有する。
【００５９】
第１実施形態では、上記ライティングカーテン５０は板状の反射材（反射板５１）に円形状の開口５２を複数設けることによって構成されている。開口５２が設けられた部分は光を透過させる透過部となっており、開口５２が設けられていない部分は光を反射させる反射部となっている。複数の開口５２は互いに連結しないように分散配置されている。
【００６０】
また、第１実施形態では、光源モジュール１００の薄型化を図るために、ライティングカーテン５０は、筐体１０の底部１２（底面）からの高さＨ１（図２参照）がたとえば約３ｍｍの位置に取り付けられている。
【００６１】
筐体１０の内部に配置されたＬＥＤパッケージ２０は、その発光面の中心部が被照明体側（ライティングカーテン５０側）に向けられている。ＬＥＤパッケージ２０は直上方向に強い光を出射するため、ライティングカーテン５０において、ＬＥＤパッケージ２０の直上付近（直上部分を含む領域）に入射される光量が多く、直上付近から離れるにしたがって徐々に光量が少なくなる。このように、ＬＥＤパッケージ２０から出射されてライティングカーテン５０に入射される光の強度は、ライティングカーテン５０の部位により異なる。そのため、ライティングカーテン５０の開口５２は、形成される部位によって開口率が変えられており、この開口５２によって光の透過が調整されている。すなわち、複数の開口５２の各大きさ（開口面積）は、均一にはなっておらず、配置位置によって異なっている。
【００６２】
具体的には、ライティングカーテン５０は、直上付近から離れるにしたがってその開口率が徐々に高くなるように、複数の開口５２の各大きさが設定されている。換言すると、ライティングカーテン５０の複数の開口５２の各大きさは、ＬＥＤパッケージ２０の直上付近から離れるにしたがって徐々に大きくなっている。さらに、ライティングカーテン５０は、ＬＥＤパッケージ２０からの光の照射が強い部分（たとえば、ＬＥＤパッケージ２０の直上付近）については開口５２が設けられておらず、照射された光を反射する構成とされている。
【００６３】
なお、ライティングカーテン５０に入射される光の強度の分布は、ＬＥＤパッケージ２０の配光特性以外に、光源モジュールの形状、寸法、取り付け位置等（たとえば、ＬＥＤパッケージ２０が並べられるピッチ、反射シート３０とライティングカーテン５０との間隔など）にも依存する。そのため、ライティングカーテン５０のうちの光の入射量が多い部分には、光の透過量が少なくなるように開口５２が形成されている。その一方、ライティングカーテン５０のうちの光の入射量が少ない部分には、光の透過量が多くなるように開口５２が形成されている。
【００６４】
また、ライティングカーテン５０は、たとえば１ｍｍ程度の厚みを有する反射板５１に、プレス打ち抜き加工により複数の開口５２を形成することで作製される。プレス打ち抜き加工は、ランニングコストや生産性に優れるため、大量生産する場合に有効な製造方法である。開口５２の加工は、プレス打ち抜き加工以外に、たとえば、ドリリング加工、レーザ加工などの手段を用いることもできる。また、ライティングカーテン５０は、たとえば、反射率の高い樹脂を射出成形することによっても得ることができる。
【００６５】
ライティングカーテン５０の開口５２以外の部分における光反射が少ない（光吸収が多い）と、輝度ムラの発生が抑制されたとしても、輝度そのものが低くなる。そのため、ライティングカーテン５０を構成する反射板５１は、高い全光反射率を有する反射材から構成されているのが好ましい。これにより、輝度の低下が抑制される。このような材料としては、たとえば、微発泡ＰＥＴ（ポリエチレンテレフタレート）樹脂などが挙げられる。また、微発泡ＰＥＴ樹脂を用いた反射板として、たとえば、古河電工株式会社製の「ＭＣＰＥＴ」（登録商標）が挙げられる。古河電工株式会社製の「ＭＣＰＥＴ」（登録商標）は、厚みが１．０ｍｍと厚く、高い全光反射率（約９９％）を有している。
【００６６】
ここで、第１実施形態では、ライティングカーテン５０の所定領域に、光を反射する上記反射シート片６０が固定されている。この反射シート片６０は、図１、図６および図７に示すように、ライティングカーテン５０よりも小さい平面形状（平面積）を有している。
【００６７】
反射シート片６０は、反射シートを所定形状に加工した成形品である。この反射シート片６０は、図２および図５に示すように、独立したシート状に形成されており、粘着層８０を介して、ライティングカーテン５０に固定されている。すなわち、反射シート片６０は、粘着層８０を構成する粘着材８０ａによって、ライティングカーテン５０に固定されている。
【００６８】
また、反射シート片６０は、ライティングカーテン５０における光の入射量が多い部分に取り付けられている。そして、この反射シート片６０がライティングカーテン５０に取り付けられることにより、ライティングカーテン５０の遮光能力が部分的に向上されている。
【００６９】
図５〜図７に示すように、第１実施形態では、各反射シート片６０は円形状に形成されている。そして、図１および図２に示すように、各反射シート片６０は、それぞれ、ＬＥＤパッケージ２０の直上付近（直上部分を含む領域）に取り付けられている。また、各反射シート片６０は、ライティングカーテン５０におけるＬＥＤパッケージ２０側の面上（一方の面上）に、ライティングカーテン５０の開口５２と重ならないように取り付けられている。具体的には、反射シート片６０は、ＬＥＤパッケージ２０の直上付近であって、開口５２が設けられていない領域に取り付けられている。
【００７０】
反射シート片６０の厚みは、たとえば、５０μｍ〜４００μｍとされていると好ましく、１００μｍ〜２００μｍとされているとより好ましい。ただし、反射シート片６０の厚みは、反射シート片６０の材質、ＬＥＤパッケージ２０からの光の強度、ＬＥＤパッケージ２０からライティングカーテン５０までの距離等、種々の条件によって異なる。そのため、反射シート片６０の厚みは、各種条件を考慮して所望の特性を有する厚みとするのが好ましい。
【００７１】
また、反射シート片６０の厚みは、ライティングカーテン５０の厚みより小さく構成されていると好ましい。
【００７２】
反射シート片６０を構成する反射シートは、特に制限されることはないが、たとえば、反射材を混入したＰＥＴ製のシート、金属を蒸着したシート部材などを用いることができる。
【００７３】
なお、反射シート片６０は粘着材８０ａによってライティングカーテン５０に固定されているため、反射シート片６０とライティングカーテン５０との間には粘着層８０が介在された状態となっている。この場合、反射シート片６０を透過した光線は粘着層８０（粘着材８０ａ）に到達し、粘着層８０にて透過や反射が行われる。そのため、粘着層８０（粘着材８０ａ）の色がその後の光線の色に影響を与える場合があるので、粘着層８０（粘着材８０ａ）は白色または透明（無色透明）であるのが好ましい。粘着材８０ａ（粘着層８０）は、特に限定されることはないが、たとえば、乳白色のエマルジョン系接着剤や、透明なエポキシ系接着剤などを用いるのが好ましい。また、粘着材８０ａ（粘着層８０）は、紫外線による変色や粘着力の低下を抑制するために、耐紫外線性を有するのが好ましい。このような構成は、たとえば、紫外線吸収材が配合された粘着材を用いることで容易に実現される。粘着材８０ａ（粘着層８０）は、接着材（接着層）を含む概念である。
【００７４】
拡散板７０は、ライティングカーテン５０に重なる光学シートであり、ライティングカーテン５０を介して入射された光を拡散させる。拡散板７０は、ライティングカーテン５０の上方に、筐体１０の開口１１を塞ぐように取り付けられている。また、拡散板７０は、ライティングカーテン５０からの高さＨ２がたとえば約５ｍｍの位置に取り付けられている。
【００７５】
このように構成された第１実施形態による光源モジュール１００では、ＬＥＤパッケージ２０から光が発せられると、ライティングカーテン５０におけるＬＥＤパッケージ２０の直上付近に多くの光が入射されるが、ライティングカーテン５０を透過せずに反射シート３０に向かって反射される光も多くなる。一方、ライティングカーテン５０におけるＬＥＤパッケージ２０の直上付近以外の部分においては、直上付近から離れるにしたがって入射する光は少なくなるが、ライティングカーテン５０を透過する光（開口５２を抜ける光）が直上付近から離れるにしたがって徐々に多くなる。このため、ライティングカーテン５０におけるＬＥＤパッケージ２０の直上付近（直上部分および直上部分の近傍部分）から出射される光量と、ライティングカーテン５０におけるＬＥＤパッケージ２０の直上付近に対して離間された部分から出射される光量との差が小さくなる。これにより、ライティングカーテン５０の所定面（光出射面）から出射される面状の出射光に輝度ムラが発生し難くなる。
【００７６】
そして、ライティングカーテン５０の所定面（光出射面）から出射された面状光（輝度ムラが抑制された面状光）が、拡散板７０に入射される。拡散板７０に入射された面状光はさらに拡散されて、高品質な面状光として被照明体に出射される。
【００７７】
上述のように、ＬＥＤパッケージ２０は直上方向（垂直方向）への指向性が強いため、ライティングカーテン５０におけるＬＥＤパッケージ２０の直上付近には多くの光が照射される。第１実施形態では、この領域に反射シート片６０が取り付けられているため、この領域の遮光能力が向上されている。すなわち、第１実施形態では、ライティングカーテン５０（光学部材４０）において、多くの光が照射される領域の遮光能力が向上されている。そのため、ライティングカーテン５０の遮光能力が不十分な場合でも、この領域からの光の透過が抑制されて、輝度ムラの発生が抑制される。
【００７８】
反射シート片６０が取り付けられた領域の遮光能力（全光透過率）の向上を簡単に計算する。計算を簡略化するために、粘着材８０ａの光学的な影響は無視する。また、光の反射は全て反射材表面で行われるものと仮定し、光の反射と透過以外は無視する。反射シート片６０の全光透過率をたとえば５％、ライティングカーテン５０の全光透過率をたとえば１％と仮定すると、反射シート片６０とライティングカーテン５０との両方を透過する光線は単純計算で０．０５％となり、ライティングカーテン５０のみの場合と比較して２０分の１と全光透過率が極端に減少する。このように、反射シート片６０を取り付けることにより、高い遮光能力が実現され、非常に多くの光が所定領域（小さい領域）に照射される場合でも輝度ムラを効果的に防ぐことが可能となる。
【００７９】
また、反射シート片６０は反射シートから構成されるため、相応の反射率を有する。反射シート片６０で反射された光線は反射シート３０やライティングカーテン５０等で何度かの反射を繰り返した後、ライティングカーテン５０の開口５２を介して拡散板７０に到達する。したがって、ＬＥＤパッケージ２０の直上付近で反射シート片６０およびライティングカーテン５０を透過できない光線は単純にロスすることはなく、多くの部分が最終的に照射光となる。そのため、輝度の低下は限定的となる。
【００８０】
なお、光源としてＬＥＤパッケージ２０を用いた場合、ＣＣＦＬを用いた場合に比べて、光源の直上付近に多くの光が集まる。この傾向は、光源モジュールの厚みが減少するにしたがい顕著となる。この点について、図８〜図１１を参照して、より詳細に説明する。図８および図９は、ＣＣＦＬを光源として用いた場合の配光特性を説明するための図である。図１０および図１１は、ＬＥＤパッケージを光源として用いた場合の配光特性を説明するための図である。なお、図９および図１１の特性図は、ある角度への出射光の強度を、最大となる方向への出射の強度を１００％としたときの相対強度で表している。
【００８１】
従来に主流であった光源であるＣＣＦＬは一般に無指向性であるため、図９に示すように、その配光特性は出射角度に依存しない線光源である。無指向性の光源の場合、全角度に等しい強度で出射するため全ての角度で相対強度が１００％となる。ここでは、説明を簡潔にするために光源からライティングカーテン側に照射される成分のみを考慮する。
【００８２】
たとえば、図８に示すように、光源であるＣＣＦＬ５１０から距離ａ（たとえば１０ｍｍ）である照射面５３０において、光源（ＣＣＦＬ５１０）から図の水平方向に距離ａ（たとえば１０ｍｍ）以内の位置に照射される（ＣＣＦＬ５１０が線光源であるため、この照射領域は帯状になる）光は、全照射のうち２５％である。光源からの距離ｂ（たとえば５ｍｍ）の照射面５４０では、これが３５％となる。
【００８３】
次に、光源としてＬＥＤパッケージを用いる場合について説明する。ＬＥＤパッケージは製品毎に特徴的な配光特性を有するが、ここではランバート分布にしたがった図１１に示す配光特性を有する点光源である場合について述べる。
【００８４】
ランバート分布は、法線方向となす角度をθとすると角度θの方向へ照射される光の強度がｃｏｓθに比例する。このため、ＣＣＦＬのような無指向性の光源と比較すると法線方向へ光が集まって照射される。すなわち、垂直方向への指向性の強い照射の分布である。
【００８５】
図１０に示すように、ＣＣＦＬの場合と同様、光源であるＬＥＤパッケージ１２０から距離ａ（たとえば１０ｍｍ）である照射面５３０において、光源（ＬＥＤパッケージ１２０）から図の水平方向に距離ａ（たとえば１０ｍｍ）以内の位置に照射される（ＬＥＤパッケージ１２０が点光源であるため、この照射領域は円形になる）光は、全照射のうち５０％である。光源からの距離ｂ（たとえば５ｍｍ）の照射面５４０では、これが８０％となる。
【００８６】
このように、ＬＥＤパッケージのような垂直方向（直上方向）への指向性が強い光源を使用する場合、光源の直上付近に多くの光が集まり、この傾向は光源モジュールの厚みが減少するにしたがい顕著になる。そのため、ＬＥＤパッケージを光源として用いた場合に、光源モジュールの薄型化を図ろうとすると、ライティングカーテンの特定部分に際だって多くの光が照射される。そのため、輝度ムラを抑制しながら、光源モジュールの薄型化を図ることが非常に困難となる。
【００８７】
しかしながら、第１実施形態による光源モジュール１００では、上記のように、反射シート片６０がライティングカーテン５０に取り付けられた光学部材４０を備えることにより、十分な遮光能力を有するため、ライティングカーテン５０の特定部分に際だって多くの光が照射される場合でも、輝度ムラが抑制される。このため、輝度ムラを抑制しながら、光源モジュール１００の薄型化を図ることが可能となる。
【００８８】
また、ライティングカーテン５０は、反射シート片６０が取り付けられた状態（光学部材４０）で光源モジュール１００の組立に供される。そのため、光源モジュール１００の組立においては、従来と同様の工程でライティングカーテン５０（光学部材４０）を取り付けることができる。したがって、組立工程の工数、スループット、コスト等は従来と同等である。なお、反射シート片６０の取り付けは、たとえば、複数一括貼り付けなどを行うことにより、容易に取り付けることが可能である。
【００８９】
第１実施形態では、上記のように、ライティングカーテン５０に反射シート片６０を取り付けることによって、ライティングカーテン５０の一部の領域に光源（ＬＥＤパッケージ２０）から多量の光が照射された場合に、その光を反射シート片６０とライティングカーテン５０との両方で遮光することができる。このため、十分な遮光能力を得ることができるので、ライティングカーテン５０の特定部分に際だって多くの光が照射される場合でも、その光を十分に遮光することができる。そのため、ＬＥＤパッケージ２０のような指向性の強い光源を利用した場合あるいはモジュールを薄型化した場合でも、ライティングカーテン５０を通して出射される光（照明光）に輝度ムラを生じ難くすることができる。
【００９０】
また、第１実施形態では、反射シート片６０をライティングカーテン５０よりも小さい平面形状（平面積）とすることによって、光源（ＬＥＤパッケージ２０）から多量の光が照射される一部の領域のみに反射シート片６０を設けることができる。これにより、ライティングカーテン５０の遮光能力を向上させるために、ライティングカーテンの厚みを大きくしたり、複数のライティングカーテンを積層したりする場合に比べて、素材コストの増加および重量の増加等を抑制することができる。また、ライティングカーテン５０に反射シート片６０を設けた場合には、ライティングカーテン自体の厚みは増加しないため、ライティングカーテン５０の厚みが増加することに起因して、光源モジュール１００の厚みが増加するという不都合が生じるのを抑制することもできる。
【００９１】
このように、第１実施形態では、指向性の強い光源を利用した場合でも、光源モジュール１００の薄型化を図ることができる。また、そのように構成した場合でも、輝度ムラの抑制された均一な照明光を発することができる。
【００９２】
さらに、第１実施形態では、上記のように構成することによって、複数のライティングカーテンを用いることなく遮光能力を向上させることができる。このため、複数のライティングカーテンを用いた場合に生じる不都合を回避することができる。たとえば、光源モジュール１００の組立時に複数のライティングカーテンを取り付けかつ各ライティングカーテンの位置合わせを考慮する必要がなくなる。そのため、ライティングカーテンの取り付け精度の向上、取り付け工程のコスト削減、取り付け工程のスループット向上等を実現することが可能となる。
【００９３】
また、第１実施形態では、ライティングカーテン５０に、開口５２によって透過部が設けられた反射板５１からなるライティングカーテンを用いているため、このようなライティングカーテン５０に反射シート片６０を設けることによって、容易に、被照明体に対する照明をムラなく均一に行うことが可能な光源モジュール１００を得ることができる。
【００９４】
上記した光源モジュール１００は、図３に示すように、たとえば、液晶表示装置３００のバックライトユニット１００（直下型バックライトユニット）として用いることができる。
【００９５】
この液晶表示装置３００は、液晶表示パネル２００（被照明体）と、この液晶表示パネル２００に対して光を供給する上記バックライトユニット１００（光源モジュール１００）とを備える。液晶表示パネル２００は、たとえば、ＴＦＴ（Ｔｈｉｎ  Ｆｉｌｍ  Ｔｒａｎｓｉｓｔｏｒ）などのスイッチング素子を含むアクティブマトリックス基板２０１と、このアクティブマトリックス基板２０１に対向する対向基板２０２とをシール材（図示せず）で貼り合わせることによって構成されている。また、両基板２０１および２０２の隙間には、液晶（図示せず）が注入されている。そして、アクティブマトリックス基板２０１の受光面側および対向基板２０２の出射面側には、それぞれ、偏光フィルム２０３が取り付けられている。
【００９６】
このように構成された液晶表示パネル２００は、液晶分子の傾きに起因する透過率の変化を利用して、画像を表示する。また、液晶表示パネル２００を照明するバックライトユニット１００に上記光源モジュール１００が用いられているため、表示機能の優れた薄型の液晶表示装置３００を実現することができる。
【００９７】
（第２実施形態）
図１２は、本発明の第２実施形態による光源モジュールの断面図であり、図１３は、図１２の一部を拡大して示した断面図である。図１４は、本発明の第２実施形態による光源モジュールにおける反射シート片の斜視図であり、図１５は、本発明の第２実施形態による光源モジュールにおけるライティングカーテンの一部を示した平面図である。次に、図１２〜図１５を参照して、本発明の第２実施形態による光源モジュールについて説明する。なお、各図において、対応する構成要素には同一の符号を付すことにより、重複する説明は適宜省略する。
【００９８】
この第２実施形態による光源モジュール１０１（１００）では、図１２および図１３に示すように、反射シート片６１（６０）がライティングカーテン５０の開口５２の少なくとも一部を覆うように構成されている。すなわち、第２実施形態では、反射シート片６１が、ライティングカーテン５０の開口５２の少なくとも一部と重なるように、ライティングカーテン５０に取り付けられている。
【００９９】
ライティングカーテン５０に設けられた複数の開口５２のうち反射シート片６１に覆われた部分（反射シート片６１と重なる部分）は、反射シート片６１のみで遮光される。このため、この部分は、開口５２部分と比べると全光透過率が低くなり、かつ、反射シート片６１とライティングカーテン５０との両方で遮光される部分（領域）に比べると全光透過率が高くなる。そのため、反射シート片６１で開口５２が覆われた部分は中間的な全光透過率となる。
【０１００】
なお、反射シート片６１の全面に粘着材８０ａ（図１４参照）を塗布した場合、粘着材８０ａ（粘着層８０）によってライティングカーテン５０の開口５２が塞がれるおそれがある。そのため、第２実施形態においては、粘着材８０ａ（粘着層８０）は、ライティングカーテン５０の開口５２を避けた領域に塗布（形成）するのが好ましい。この場合、シルク印刷などの印刷法を用いて粘着材８０ａを塗布すれば、所定領域に精度よく、かつ、容易に粘着材８０ａ（粘着層８０）を塗布（形成）することが可能となる。
【０１０１】
また、印刷法を用いて粘着材８０ａを塗布する場合、図１４に示すように、反射シート片６１に粘着材８０ａ（粘着層８０）を塗布（形成）してもよいし、図１５に示すように、ライティングカーテン５０の所定領域に粘着材８０ａ（粘着層８０）を塗布（形成）してもよい。また、反射シート片６１およびライティングカーテン５０の両方に粘着材８０ａ（粘着層８０）を塗布（形成）してもよい。
【０１０２】
第２実施形態のその他の構成は、上記第１実施形態と同様である。
【０１０３】
第２実施形態では、上記のように、ライティングカーテン５０の開口５２の少なくとも一部が反射シート片６１と重なるように構成することによって、たとえば、ライティングカーテン５０では透過されるが反射シート片６１では反射される中間的な遮光能力を持つ領域を形成することができる。これにより、光源モジュールの設計自由度を向上させることができる。また、ライティングカーテン５０における透過率のパターン（開口パターン）の設計自由度を向上させることもできる。
【０１０４】
また、本来であればライティングカーテン５０に微細な開口５２が要求される部分に、上記構成を利用することで、開口サイズを大きくすることができる。開口サイズを大きくした場合に、その開口５２を反射シート片６１で覆うことで、本来の開口サイズの遮光能力と同等の遮光能力とすることができる。これにより、ライティングカーテン５０の製造工程において、開口５２の形成を容易に低コストで実現することができる。
【０１０５】
たとえば、開口５２の一部の寸法が小さすぎてライティングカーテン５０を射出成形で製造することが困難な場合でも、開口５２の寸法を大きくすれば製造が可能となる場合もある。あるいは、プレス打ち抜き加工によって開口５２を形成する場合においても、開口５２の寸法が小さければ加工が困難となるおそれがあるものの、開口５２の寸法を大きくすれば製造が可能となる場合もある。さらに、寸法が大きければ一般に寸法公差を大きくすることができるため、品質や歩留まりの向上にも貢献する。
【０１０６】
あるいは、たとえば、設計の不適合などにより、ライティングカーテン５０の開口５２が適正なものより大きくなっている場合や余計な開口５２が設けられた場合に、修復目的で、開口５２を反射シート片６１で覆うこともできる。また、ライティングカーテン５０に反射シート片６１の位置合わせを目的とした開口を設け、反射シート片６１の取り付け時に位置を合わせる、あるいは位置が合っていることを確認する目的で上記構成を用いることもできる。
【０１０７】
第２実施形態のその他の効果は、上記第１実施形態と同様である。
【０１０８】
（第３実施形態）
図１６は、本発明の第３実施形態による光源モジュールの断面図であり、図１７は、図１６の一部を拡大して示した断面図である。図１８は、本発明の第３実施形態による光源モジュールにおける反射シート片の斜視図であり、図１９は、本発明の第３実施形態による光源モジュールにおけるライティングカーテンの一部を示した平面図である。次に、図１６〜図１９を参照して、本発明の第３実施形態による光源モジュールについて説明する。なお、各図において、対応する構成要素には同一の符号を付すことにより、重複する説明は適宜省略する。
【０１０９】
この第３実施形態による光源モジュール１０２（１００）では、図１６および図１７に示すように、反射シート片６１（６０）の一部にライティングカーテン５０と共通の開口孔６１ａが設けられている。すなわち、第３実施形態では、反射シート片６１に、ライティングカーテン５０の開口５２と重なる開口孔６１ａが設けられている。これにより、反射シート片６１が設けられた高い遮光能力を持つ部分（反射部）を開口５２と隣接させることができる。その結果、開口５２の周囲にわたって遮光能力を高めることができる。
【０１１０】
ライティングカーテン５０と反射シート片６１とに同じ形状の開口を設けることは、たとえば、ライティングカーテン５０に反射シート片６１を貼り付けた後にプレス打ち抜き加工などを施すことにより、容易に、かつ高精度に実現できる。また、この加工をさらに容易にするため、開口される部分やその周辺部分は、図１７に示すように、粘着材８０ａ（粘着層８０）が存在しないことが好ましい。これらの部分に粘着材８０ａ（粘着層８０）が存在すれば、プレス打ち抜き加工時の金型に粘着材が付着するという不都合が生じる。あるいは粘着材が開口の周囲に不定形に付着するという不都合が生じる。その一方、上記のように構成することにより、これらの不都合を解消することができる。
【０１１１】
また、開口される部分やその周辺部分を避けた領域（開口孔６１ａを避けた領域）に粘着層８０（粘着材８０ａ）を設ける場合、シルク印刷などの印刷法を用いて粘着材８０ａを塗布すれば、所定領域に精度よく、かつ、容易に粘着材８０ａ（粘着層８０）を塗布（形成）することが可能となる。
【０１１２】
また、印刷法を用いて粘着材８０ａを塗布する場合、図１８に示すように、反射シート片６１に粘着材８０ａ（粘着層８０）を塗布（形成）してもよいし、図１９に示すように、ライティングカーテン５０の所定領域に粘着材８０ａ（粘着層８０）を塗布（形成）してもよい。また、反射シート片６１およびライティングカーテン５０の両方に粘着材８０ａ（粘着層８０）を塗布（形成）してもよい。
【０１１３】
なお、反射シート片６１はライティングカーテン５０の一部の領域に貼り付けられているため、ライティングカーテン５０全体の厚みを大きくなることはない。すなわち、反射シート片６１が設けられることで厚みが大きくなる領域は限定的である。そのため、プレス打ち抜き加工により、ライティングカーテン５０と反射シート片６１とに開口を設ける場合でも、厚みの大きいライティングカーテンに開口を設ける場合などと比べて、プレスに加える応力（荷重）が小さくてすむので、開口の加工が容易となる。
【０１１４】
第３実施形態のその他の構成および効果は、上記第１および第２実施形態と同様である。
【０１１５】
（第４実施形態）
図２０は、本発明の第４実施形態による光源モジュールの断面図である。図２１は、図２０の一部を拡大して示した断面図である。図２２は、本発明の第４実施形態による光源モジュールにおけるライティングカーテンの一部を示した平面図である。次に、図２０〜図２２を参照して、本発明の第４実施形態による光源モジュールについて説明する。なお、各図において、対応する構成要素には同一の符号を付すことにより、重複する説明は適宜省略する。
【０１１６】
第４実施形態による光源モジュール１０３（１００）は、上記第１〜第３実施形態とはライティングカーテンの構成が異なる。すなわち、第４実施形態では、図２０および図２１に示すように、透明板１５１に反射材１５２が塗布されることによって形成されたライティングカーテン１５０を備えている。より具体的には、ライティングカーテン１５０は、たとえば、ポリカーボネート製の透明板１５１に、白色インクや金属インクなどの全光透過率の低いインク（反射材１５２）を塗布することで形成されている。なお、透明板１５１は、本発明の「板状部材」の一例である。
【０１１７】
反射材１５２の塗布には、印刷法を用いることができる。このように、反射材１５２を印刷する方法は、単価や初期費用が安価で生産性が高いという長所を有する。また、印刷法を用いることで、微細なパターンや他の成形方法では実現が難しい形状（たとえば、多数のドットの集合など）を容易に実現できるため、設計自由度が高いという長所も有する。
【０１１８】
反射材１５２の印刷は、シルク印刷が好ましい。ただし、シルク印刷以外に、たとえば、インクジェット法やオフセット印刷などであってもよい。
【０１１９】
また、ライティングカーテン１５０のうちの光の入射量が多い部分には、光の透過量が少なくなるように反射材１５２が印刷されている。その一方、ライティングカーテン１５０のうちの光の入射量が少ない部分には、光の透過量が多くなるような反射材１５２が印刷されている。たとえば、透明板１５１に、図２２に示すようなパターンで反射材１５２が印刷されている。図２２において、反射材１５２が印刷された部分は、光を反射する反射部Ａ（遮光部）とされており、反射材１５２が印刷されていない部分は、光を透過する透過部Ｂとされている。すなわち、透明板１５１は光を透過するが、反射材１５２に照射された光は大部分が反射される。そのため、反射材１５２の印刷によって、透過部Ｂと反射部Ａ（遮光部）とが形成されている。これにより、第４実施形態によるライティングカーテン１５０も上記第１〜第３実施形態で示したライティングカーテンと同様の機能を備える。
【０１２０】
また、図２１に示すように、高い遮光能力が要求される領域（光源から多量の光が照射される領域）には、透明板１５１に反射材１５２が塗布され、かつ、反射シート片６０が貼り付けられている。
【０１２１】
上記第１実施形態と同様に、反射シート片６０が取り付けられた領域の遮光能力（全光透過率）の向上を簡単に計算する。計算を簡略化するために、粘着材８０ａの光学的な影響は無視する。また、光の反射は全て反射材表面で行われると仮定し、光の反射と透過以外は無視する。反射シート片６０の全光透過率をたとえば５％、反射材１５２の全光透過率をたとえば１０％と仮定すると、反射シート片６０と反射材１５２との両方を透過する光線は単純計算で０．５％となり、反射材１５２のみ、あるいは反射シート片６０のみの場合と比較して遮光能力が高い。
【０１２２】
一般に、印刷によってライティングカーテンを形成する手法は安価であるものの、全光透過率が高くなりがちである。しかしながら、遮光能力が不十分な部分に反射シート片６０を設けることで、その部分の遮光能力を反射シート片６０で補うことができる。これにより、印刷法によって作製されたライティングカーテン１５０を用いた場合でも、十分な遮光能力が得られる。
【０１２３】
なお、第４実施形態では、一例として、透明板１５１の上面（反射シート片６０が設けられている面と反対側の面）に反射材１５２を印刷した例を示している。また、反射材１５２の印刷によって、透明板１５１には反射材１５２からなる印刷層１５２ａが形成されている。
【０１２４】
（第５実施形態）
図２３は、本発明の第５実施形態による光源モジュールの断面図である。図２４は、図２０の一部を拡大して示した断面図である。図２５は、本発明の第５実施形態による光源モジュールにおけるライティングカーテンの一部を拡大して示した断面図である。次に、図２３〜図２５を参照して、本発明の第５実施形態による光源モジュールについて説明する。なお、各図において、対応する構成要素には同一の符号を付すことにより、重複する説明は適宜省略する。
【０１２５】
この第５実施形態による光源モジュール１０４（１００）では、図２３〜図２５に示すように、ライティングカーテン１５０を構成する透明板１５１の両面に反射材１５２が塗布（印刷）されている。このため、透明板１５１の上面上および下面上のそれぞれに、反射材１５２の印刷による印刷層１５２ａが形成されている。
【０１２６】
ここで、ある程度以上の強度の光がライティングカーテン１５０によっても反射シート片６０によっても反射されずに光出射面から直接的に出射されると輝度ムラの原因となる場合がある。そのため、ある程度以上の強度の光については、透明板１５１のいずれかの面に印刷された反射材１５２（印刷層１５２ａ）または反射シート片６０により反射された後に出射されるように、反射材１５２（印刷層１５２ａ）の印刷パターンや反射シート片６０の形状および位置が設定されているのが好ましい。
【０１２７】
具体的には、反射材１５２の各印刷パターンは、少なくともＬＥＤパッケージ２０の直上（直上付近）からの距離が比較的小さい領域（照射される光の強度がある程度大きな領域）においては、ＬＥＤパッケージ２０からの光が少なくとも一方の面に印刷（塗布）された反射材１５２（印刷層１５２ａ）に照射されるように構成されているのが好ましい。すなわち、ＬＥＤパッケージ２０からの光が反射材１５２（印刷層１５２ａ）に照射されることなくライティングカーテン１５０を透過することがないように、反射材１５２（印刷層１５２ａ）が形成されているのが好ましい。
【０１２８】
たとえば、図２５に示すように、各印刷パターンは、透明板１５１の一方の面（たとえば上面）における反射材１５２（印刷層１５２ａ）が形成されていない部分（領域）を、他方の面（たとえば下面）における反射材１５２（印刷層１５２ａ）で覆うように形成される。
【０１２９】
このように構成されていれば、光源（ＬＥＤパッケージ２０）から発生する光は必ず反射材１５２あるいは周辺の反射シート３０等の何らかに照射される。そして、反射や透過を経て初めて光出射面へと至る。これにより、強い光が直接的に出射されることに起因する輝度ムラが抑制される。また、直上付近の領域（遮光能力を高める必要がある領域）に反射シート片６０を備えることで、その領域の遮光能力を十分に高めることができる。
【０１３０】
第５実施形態のその他の構成は、上記第４実施形態と同様である。また、第５実施形態のその他の効果は、上記第１〜第４実施形態と同様である。
【０１３１】
（第６実施形態）
図２６は、本発明の第６実施形態による光源モジュールの断面図であり、図２７は、図２６の一部を拡大して示した断面図である。図２８は、本発明の第６実施形態による光源モジュールにおける反射シート片を示した斜視図であり、図２９は、本発明の第６実施形態による反射シート片の取り付け状態を示した断面図である。次に、図２６〜図２８を参照して、本発明の第６実施形態による光源モジュールについて説明する。なお、各図において、対応する構成要素には同一の符号を付すことにより、重複する説明は適宜省略する。
【０１３２】
この第６実施形態による光源モジュール１０５（１００）では、反射シート片の構成が上記第１実施形態と異なる。具体的には、第６実施形態では、図２６〜図２９に示すように、反射シート片１６０（６０）が、基材１６１上に反射材１６２が印刷（塗布）されることによって形成されている。すなわち、第６実施形態の反射シート片１６０は、基材１６１上に反射材１６２が形成された反射部材（第１反射部材）からなる。
【０１３３】
第１実施形態で示した反射シート片は、反射シートを特定の形状に加工することによって形成されるため、要求される形状が複雑であったり微細であったりする場合、反射シートを複雑・微細に加工する必要がある。これに対し、第６実施形態では、基材１６１に反射材１６２を印刷することで反射シート片１６０が形成されるため、遮光性を高める必要のある領域（形状）を印刷にて形成することができる。このため、形状の自由度が非常に高いため、複雑な形状や微細な形状であっても容易に形成することが可能となる。
【０１３４】
第６実施形態のその他の構成は、上記第１実施形態と同様である。
【０１３５】
第６実施形態では、上記のように、反射シート片１６０を、基材１６１に反射材１６２が印刷された反射部材から構成することによって、光を反射させる領域（反射材１６２が印刷された反射領域）を複雑なパターンや微細なパターンに形成することができる。このため、遮光性を高める必要のある領域に精度よく反射材１６２を塗布することができるので、その領域の遮光性を容易に高めることができる。
【０１３６】
なお、反射シート片１６０を構成する基材１６１には、たとえば、透明のポリカーボネート板などを用いることができる。基材１６１にポリカーボネート板を用いることにより、透明部に十分な透過性を持たせることができる。また、反射材１６２には、たとえば、白色インクや金属インクなどを用いることができる。
【０１３７】
また、上記基材１６１を反射シートから構成することもできる。すなわち、上記反射シート片１６０を、反射シート（基材１６１）にさらに反射材１６２が印刷された反射部材（第２反射部材）から構成することもできる。このように構成すれば、反射シート片１６０が、反射シートとその上に印刷された反射材１６２とによって構成されるので、反射シート片１６０が複数の層から構成されることになる。このため、反射シート片１６０の反射能力をさらに高めることができるので、反射シート片１６０が設けられたライティングカーテン５０の遮光能力もさらに高めることができる。
【０１３８】
第６実施形態のその他の効果は、上記第１実施形態と同様である。
【０１３９】
（第７実施形態）
図３０は、本発明の第７実施形態による光源モジュールの断面図である。図３１は、図３０の一部を拡大して示した断面図である。次に、図３０および図３１を参照して、本発明の第７実施形態による光源モジュールについて説明する。なお、各図において、対応する構成要素には同一の符号を付すことにより、重複する説明は適宜省略する。
【０１４０】
この第７実施形態による光源モジュール１０６（１００）では、図３０および図３１に示すように、ライティングカーテン５０に反射シート片６０が粘着材８０ａにて取り付けられており、反射シート片６０にさらに別の反射シート片６０が粘着材８０ａにて取り付けられている。すなわち、第７実施形態では、複数の反射シート片が重ねて取り付けられている。このため、第７実施形態の反射シート片６０ａは、ライティングカーテン５０に直接取り付けられる第１の反射シート片６０（第１反射層）と、この反射シート片６０に取り付けられる第２の反射シート片６０（第２反射層）とを含んだ構成となっている。
【０１４１】
第７実施形態のその他の構成は、上記第１実施形態と同様である。
【０１４２】
第７実施形態では、反射シート片６０ａを上記のように構成することによって、極めて高い遮光能力が要求される場合、あるいは反射シート片６０を遮光能力が比較的低い素材から構成する場合でも対応することができる。
【０１４３】
第７実施形態のその他の効果は、上記第１実施形態と同様である。
【０１４４】
（第８実施形態）
図３２は、本発明の第８実施形態による光源モジュールの光学部材の一部を示した断面図である。図３３は、本発明の第８実施形態による光源モジュールの光学部材の一部（他の例）を示した断面図である。次に、図３２および図３３を参照して、本発明の第８実施形態による光源モジュールについて説明する。なお、各図において、対応する構成要素には同一の符号を付すことにより、重複する説明は適宜省略する。
【０１４５】
この第８実施形態では、上記第１〜第７実施形態とは異なり、反射シート片６０が両面テープ１８０でライティングカーテン５０（１５０）に取り付けられている。両面テープ１８０は、図３２に示すように、基材１８１と、その両面に塗布された粘着層８０（粘着材）とから構成されている。
【０１４６】
このように、反射シート片６０の取り付けに両面テープ１８０を用いることも可能である。しかしながら、両面テープ１８０を用いた場合、反射シート片６０を透過した光は粘着層８０（粘着材）に照射されるが、そこを透過した光はさらに基材１８１に照射される。そして、この光がさらに透過・反射を繰り返した後に外部に出射される。このため、両面テープ１８０を用いた場合には、その粘着層８０（粘着材）のみならず、基材１８１も光学的に光源モジュールからの照射に影響を与えるおそれがある。したがって、反射シート片６０の取り付けに両面テープ１８０を用いる場合、その粘着層８０（粘着材）だけではなく、基材１８１についても白色または透明（無色透明）であるのが好ましい。このような両面テープの一例として、ＰＥＴやＰＭＭＡを基材１８１とした両面テープが挙げられる。
【０１４７】
また、図３３に示すように、反射シート片６０の取り付けに、基材レスの両面テープ１８０を用いることもできる。このような基材レスの両面テープ１８０を用いることにより、基材の影響を考慮する必要がなくなるのでより好ましい。なお、この場合、上記第１実施形態で示したように、粘着材にて反射シート片６０を取り付ける場合と同様となる。
【０１４８】
また、両面テープを用いる場合であっても、その粘着層（粘着材）は光源からの光の影響を受ける。そのため、両面テープにおいても、その粘着層（粘着材）は耐紫外線性を有しているのが好ましい。これは、紫外線吸収剤が配合された粘着材を用いることで容易に実現できる。
【０１４９】
（第９実施形態）
図３４は、本発明の第９実施形態による光源モジュールの断面図である。図３５は、図３４の一部を拡大して示した断面図である。次に、図３４および図３５を参照して、本発明の第９実施形態による光源モジュールについて説明する。なお、各図において、対応する構成要素には同一の符号を付すことにより、重複する説明は適宜省略する。
【０１５０】
この第９実施形態による光源モジュール１０７（１００）では、図３４および図３５に示すように、反射シート片に代えて、反射層２６０がライティングカーテン５０の所定領域に形成されている。この反射層２６０は、反射材２６１がライティングカーテン５０に印刷されることで形成されている。すなわち、この第９実施形態は、反射層２６０がライティングカーテン５０に印刷にて形成および固定されている点で、別体で形成された反射シート片が粘着材で固定された上記第１実施形態と異なる。
【０１５１】
反射層２６０の形成は、シルク印刷、オフセット印刷、インクジェット法などの種々の印刷法を用いて行うことができるが、なかでも、シルク印刷が好ましい。また、反射層２６０の形成（反射材２６１の印刷）は、ライティングカーテン５０に開口５２を設ける加工を実施する前であってもよいし、加工を実施した後であってもよい。
【０１５２】
反射材２６１としては、たとえば、白色インクや金属インクを用いることができる。金属インクは、白色インクと比較すると反射率が劣ることが多いため輝度のロスが増すものの、薄い厚みで高い遮光能力を実現することができる。また、印刷に白色インクを用いることにより、その後の光線の色の変化を抑制して遮光能力を高めることができる。
【０１５３】
また、反射材２６１が塗布された領域（反射層２６０が形成された領域）は、塗布されない領域（反射層２６０が形成されていない領域）と比較すると、反射材２６１（反射層２６０）によってより光を反射する構成となる。そのため、その領域の遮光能力が向上する。すなわち、上記構成によって、簡易な手段にて局所的にライティングカーテン５０の遮光能力を高めることができる。反射層２６０の厚みは、どの程度、遮光能力を向上させる必要があるかにもよるが、たとえば、２０μｍ〜１００μｍとすることができる。
【０１５４】
さらに、第９実施形態では、ライティングカーテン５０に対して印刷を行うことで反射層２６０の形成（遮光能力の向上）が実現できるため、上記第１実施形態に比べて、さらにコストを低減できる可能性がある。
【０１５５】
なお、図３４および図３５では、ライティングカーテン５０のＬＥＤパッケージ２０側の面に反射層２６０を形成した例を示しているが、ＬＥＤパッケージ２０と反対側の面に反射層２６０を形成してもよい。すなわち、反射層２６０の形成（反射材２６１の印刷）は、ライティングカーテン５０のいずれか一方の面に行うことができる。また、ライティングカーテン５０の両面に反射層２６０を形成してもよい。
【０１５６】
片面のみに反射層２６０を形成した場合に遮光能力が不足する場合、ライティングカーテン５０の両面に反射層２６０を形成するのが好ましい。この場合、両面に必ずしも同一のパターンを印刷する必要はなく、異なるパターンを印刷することも可能である。このように、異なるパターンを印刷した場合、両面の反射層２６０（反射材２６１）にて反射させる領域と旗面の反射層２６０（反射材２６１）のみで反射させる領域とを設けることにより、中間的な反射率を有する領域を形成することができる。そのため、印刷パターンの設計自由度を高めることができる。
【０１５７】
第９実施形態のその他の構成および効果は、上記第１実施形態と同様である。
【０１５８】
（第１０実施形態）
図３６は、本発明の第１０実施形態による光源モジュールの断面図である。図３７は、図３６の一部を拡大して示した断面図である。次に、図３６および図３７を参照して、本発明の第１０実施形態による光源モジュールについて説明する。なお、各図において、対応する構成要素には同一の符号を付すことにより、重複する説明は適宜省略する。
【０１５９】
この第１０実施形態による光源モジュール１０８（１００）では、上記第９実施形態の構成において、反射層２６０の一部にライティングカーテン５０の開口５２と共通の開口孔２６０ａが設けられている。すなわち、第１０実施形態では、図３６および図３７に示すように、反射層２６０に、ライティングカーテン５０の開口５２と重なる開口孔２６０ａが設けられている。
【０１６０】
この構成により、開口５２の周囲にわたって反射材２６１が塗布されていない場合と比較して、反射部（反射層２６０が形成された部分）の遮光能力を高めることができる。
【０１６１】
また、上記構成は、ライティングカーテン５０に反射材２６１を印刷（反射層２６０を形成）した後、開口５２を形成する加工を行うことで容易に実現することができる。
【０１６２】
（第１１実施形態）
図３８〜図４１は、本発明の第１１実施形態による光学部材の一部を示した平面図である。次に、図３８〜図４１を参照して、この第１１実施形態では反射シート片（反射層）の形状についてより具体的に説明する。
【０１６３】
図３８に示すように、光学部材４０を構成する反射シート片６０は、たとえば、円形とすることができる。反射シート片６０は反射シートから構成されているためその全面が反射部となっている。このような反射シート片６０は、たとえば、反射シートの片面の全面に粘着材を塗布した後、円形に切り抜き加工することで得られる。切り抜き加工された後の状態はシール状の形態となっているため、ライティングカーテン５０に容易に貼り付けることが可能となる。
【０１６４】
印刷により反射層２６０とする場合は、反射材を円形に印刷することにより、上記形状が容易に実現できる。
【０１６５】
他の例として、図３９に示すように、光学部材４０を構成する反射シート片６０を、たとえば、複数のリング状の反射部１２０を有する円形とすることができる。このような反射シート片６０は、たとえば、透明板に反射材を同心円の反射部１２０のパターンに印刷し、透明板の反対面に粘着材を塗布することで実現できる。
【０１６６】
このような形状の反射層（反射シート片）を、反射シートの切り抜き加工で作製する場合、複数の反射シート片が必要となる。また、ライティングカーテンへの貼り付け加工も複数に分けて実施され、かつ各反射シート片の間で位置合わせが必要となる。このため、上記のように、印刷により反射部１２０を形成することで、図３９に示したような複数の反射部１２０にて反射部のパターンが形成される場合も、容易に、かつ、低コストで実現できる。したがって、形状によっては加工が困難な微細または複雑な反射層の形状であっても実現できる。また、印刷により反射層２６０とする場合も、同様に、上記形状を容易に実現できる。
【０１６７】
さらに他の例として、図４０に示すように、光学部材４０を構成する反射シート片６０を、たとえば、矩形状（正方形状）とすることもできる。この場合、たとえば、ライティングカーテン５０の開口５２を覆うように配することもできる。反射シート片６０に覆われる開口部分は、ライティングカーテン５０に開口５２がなく反射シート片６０に覆われる部分と比較して、透過率が高い。一方、ライティングカーテン５０に開口５２があり反射シート片６０に覆われていない部分と比較するとその透過率が低い。すなわち、反射シート片６０に覆われる開口部分は、中間的な透過率を有する部分として使用できる。これにより、透過率のパターンの設計自由度が増す。
【０１６８】
また、ライティングカーテン５０に微細な開口が要求される部分に上記構成を利用することで、開口のサイズを大きくすることができる。したがって、ライティングカーテン５０の開口５２の加工を容易にすることでコストダウンや生産性の向上が見込める。あるいは、たとえば、設計や生産の不適合などにより、ライティングカーテンの開口が適正なものより大きくなっている場合、修復目的で反射シート片を用いることもできる。
【０１６９】
さらに他の例として、図４１に示すように、光学部材４０を構成する反射シート片６０を、たとえば、その一部にライティングカーテン５０の開口５２と同一形状の開口孔が設けられた矩形状（正方形状）とすることもできる。
【０１７０】
このような反射シート片６０は、たとえば、反射シート片６０を固定後にライティングカーテンをプレス打ち抜き加工にて形成することで同時に反射シート片６０へも開口の加工がなされることで生産できる。この構成によれば、必要となる部分だけに反射シート片６０を貼り付けることで、ライティングカーテンをより遮光能力の高い素材で作成したときと同様の効果を得ることが出来る。また、印刷により反射層２６０を形成する場合も、同様に、上記構成を容易に実現できる。
【０１７１】
なお、図３８〜図４１に示した構成は、上記第１〜第１０実施形態に適宜適用することができる。
【０１７２】
反射シート片の形状や反射材のパターンを円形、または円形の集合とすることで、光学的な計算を幾分か少ない計算量で実現できる。このように、反射シート片または反射層の形状を円形とすることで、入射の判定を簡単に行うことができる。
【０１７３】
具体的には、入射を判定する円形のｘｙ平面上の座標を（ｘ0，ｙ0）、半径をｒ、ｚが入射面と同一となるｘｙ平面への光線の座標を（ｘ1，ｙ1）とする。この場合に、以下の（１）式を満たすと、光線は円の内部へ照射され、満たさないとき光線は円の外部に照射されないと判定できる。
【０１７４】
（ｘ0−ｘ1）2＋（ｙ0−ｙ1）2≦ｒ2・・・・（１）
【０１７５】
同じ理由で、反射シート片の形状や反射材のパターン（反射層の形状）が四角形（矩形状）であってもよい。この四角形がｘ軸とｙ軸に２辺が平行な長方形であり、ｘ軸方向の辺の長さをＬ0、ｙ軸方向の辺の長さをＬ1とする。また、入射を判定する四角形の中心のｘｙ平面上の座標を（ｘ0，ｙ0）、ｚが入射面と同一となるｘｙ平面への光線の座標を（ｘ1，ｙ1）とする。この場合に、以下の（２）式を満たすと、光線は四角形内へ入射され、満たさないとき光線は四角形外に照射されないと判定できる。
【０１７６】
｜ｘ0−ｘ1｜≦Ｌ0／２  かつ  ｜ｙ0−ｙ1｜≦Ｌ1／２・・・・（２）
【０１７７】
その他の一般的な形状であれば、光線と反射シート片または印刷された反射材の入射の判定は複雑になり、したがって計算量が増加しがちである。しかし上述のように円形や四角形といった単純な形状であれば、検証の計算量を低減できる。検証の計算量を低減することで、設計の精度向上や期間短縮といった効果を得ることができる。したがって、反射シート片または反射層の形状は、円形または四角形（矩形状）であるのが好ましい。
【０１７８】
また、反射シート片は薄い形状であるほうが計算量の観点からは望ましい。十分に薄い場合、反射シート片の厚みを無視して計算することができる。このため、反射シート片側面への入射の計算を省略し、かつ、反射シート片の高さをライティングカーテンの一方の面の高さと同じとすることで、さらに計算を省略できる。すなわち、反射シート片の厚みを０（ゼロ）として効率的に計算することができる。このためには、反射シート片が少なくともライティングカーテンよりも薄いことが好ましい。反射材が印刷される場合、一般的には厚みが非常に薄いので、この好ましい特徴を得ることは容易である。したがって、反射シート片または反射層の厚みは、所望の光学特性が得られる範囲内において、できるだけ小さく構成されているのが好ましい。
【０１７９】
（第１２実施形態）
以上に説明した実施形態において、反射シート片や印刷されたインクなどにより形成される反射層は脱落の可能性がある。そのため、反射シート片や反射層の脱落を防止するために、図４２に示すように、反射シート片６０や反射層２６０を、封止材１３０で封止することもできる。封止材１３０としては光学的な影響を最小限に抑えるために透明なシリコーン製の封止材を使用するのが好ましい。ただし、たとえば、白色の封止材等を用いることにより、この封止材によって遮光能力を高めることも可能である。封止材による封止は、たとえば、ポッティングなどの手法を用いて、反射シート片または反射層を封止材で覆うようにすればよい。
【０１８０】
今回開示された実施形態は、すべての点で例示であって制限的なものではないと考えられるべきである。本発明の範囲は、上記した実施形態の説明ではなく特許請求の範囲によって示され、さらに、特許請求の範囲と均等の意味および範囲内でのすべての変更が含まれる。
【０１８１】
たとえば、上記した実施形態では、反射シート片または反射層をライティングカーテンの光源側（ＬＥＤパッケージ側）に設けた例について説明したが、光源とは反対側の面に設けることでも同様の効果が得られる。反射シート片または反射層を光源側に貼り付けた場合には、光源に近い部分に反射シート片または反射層を追加することになるため、遮光できる面積が大きくなる。また、ライティングカーテンの有する光の拡散機能により反射シート片または反射層の形状がぼやけて拡散板に至るため、反射シート片または反射層の影に起因する輝度ムラの発生が抑制される。一方、光源の反対側に反射シート片または反射層を設けた場合には、反射シート片等がライティングカーテンから剥離したとしても、ＬＥＤパッケージ側への脱落が防止される。このため、ライティングカーテンから剥離した反射シート片等がＬＥＤの電極等に接する機会が少なくなる。また、この場合、反射シート片または反射層は、光源からの距離が遠くなるため、反射シート片または反射層の遮光能力を比較的低い遮光能力で済ませることができる。反射シート片または反射層は、機構上または光学的な理由から好ましい側に設ければよい。また、遮光能力を十分に確保したい場合は、両側に設けることも有効である。
【０１８２】
また、上記実施形態では、ライティングカーテンに、開口によって透過部が設けられた反射板からなるライティングカーテンまたは透明板に反射材を印刷したライティングカーテンを用いた例を示したが、ライティングカーテンには、上記実施形態で示した以外のライティングカーテンを用いてもよい。また、ライティングカーテンが、反射板に開口が設けられることによって構成されている場合、その開口のパターンや開口の形状は適宜変更することができる。たとえば、開口の形状は円形以外の形状（たとえば、楕円形状や多角形状など）とすることができる。また、ライティングカーテンの複数の開口の各大きさが互いに同じにされ、直上部分の領域から離れるにしたがって、隣り合う開口同士の間隔が徐々に狭くされた構成とすることができる。さらに、ライティングカーテンが、透明板に反射材を印刷することによって構成されている場合、その印刷パターンは適宜変更することができる。また、透明板以外にたとえば拡散板に反射材を印刷することでライティングカーテンを構成することもできる。
【０１８３】
また、上記実施形態では、反射シート片（反射層）の形状を円形状または矩形状とした例を示したが、本発明はこれに限らず、反射シート片（反射層）の形状は上記以外の形状であってもよい。反射シート片（反射層）の形状は、光源から強い光が入射される領域（遮光能力が不足する領域）の遮光能力を向上させることが可能な形状であれば、たとえば、三角形や五角形以上の多角形形状、楕円形状、十字形状、星形形状等の種々の形状を採用することが可能である。ただし、複雑な形状であれば、入射の判定の計算が煩雑になるため、円形状や矩形状（正方形）などの計算し易い形状が好ましい。また、遮光能力が不足する領域は、ライティングカーテンの開口パターンや反射材の印刷パターン等によっても変わる場合がある。そのような場合、開口パターンや印刷パターン等に応じて、反射シート片（反射層）の形状や大きさ、取り付け位置等を適宜設定するのが好ましい。
【０１８４】
反射シート片（反射層）の大きさについても、光源から強い光が入射される領域（遮光能力が不足する領域）の遮光能力を向上させることが可能な大きさであればよい。通常、ＬＥＤパッケージの直上付近の領域に強い光が入射されるため、反射シート片（反射層）の大きさは、その領域を覆うことが可能な大きさであるのが好ましい。なお、直上付近の周辺領域であって、その領域の遮光能力が高すぎても問題がない場合は、反射シート片の大きさを意図的に大きくすることも可能である。このように、反射シート片の大きさを大きくすることにより、反射シート片を取り付け易くすることができる。
【０１８５】
また、上記実施形態では、反射シート片（反射層）をＬＥＤパッケージの直上付近に取り付けた例を示したが、反射シート片（反射層）は、強い光が入射される領域（遮光能力が不足する領域）に取り付けられ、その領域はＬＥＤパッケージの直上付近の領域に限られない。通常は、ＬＥＤパッケージの直上付近の領域に強い光が入射されるが、ライティングカーテンに入射される光の強度の分布は、ＬＥＤパッケージの配光特性以外に、光源モジュールの形状、寸法、ＬＥＤパッケージのピッチ、ＬＥＤパッケージの種類、反射シートからライティングカーテンまでの距離などにも依存する。そのため、強い光が入射される領域（遮光能力が不足する領域）に応じて、反射シート片（反射層）の取り付け位置等が設定される。
【０１８６】
また、上記実施形態では、ＬＥＤパッケージを光源として用いた例を示したが、光源モジュールの光源はＬＥＤパッケージ以外の光源（点光源）であってもよい。本発明によれば、ＬＥＤパッケージ以外の光源（点光源）を用いた場合でも、輝度ムラの発生を抑制することができる。
【０１８７】
また、上記第１１実施形態では、開口によって透過部が設けられた反射板からなるライティングカーテンを用いた例を示したが、本発明はこれに限らず、ライティングカーテンは、たとえば、透明板に反射材を印刷したライティングカーテン用いることもできる。
【０１８８】
なお、上記実施形態において、たとえば、反射シート片をライティングカーテンの一方の面に貼り付け固定し、ライティングカーテンのもう一方の面に反射材を印刷するようにしてもよい。ライティングカーテンへ反射材を印刷し、その上から反射シート片を貼り付け固定してもよい。すなわち、複数の実施例の構成を組み合わせるようにしてもよい。
【０１８９】
また、上記第２〜第１２実施形態の光源モジュールにおいても、上記第１実施形態と同様、液晶表示装置のバックライトユニットとして用いることができる。
【０１９０】
なお、上記で開示された技術を適宜組み合わせて得られる実施形態についても本発明の技術的範囲に含まれる。
【符号の説明】
【０１９１】
１０                                  筐体
２０                                  ＬＥＤパッケージ（光源）
３０                                  反射シート
４０                                  光学部材
５０、１５０                          ライティングカーテン
５１                                  反射板
５２                                  開口
６０、６０ａ、６１、１６０            反射シート片（反射層）
６１ａ                                開口孔
７０                                  拡散板
８０                                  粘着層
８０ａ                                粘着材
１００                                光源モジュール
１３０                                封止材
１５１                                透明板（板状部材）
１５２                                反射材
１５２ａ                              印刷層
１６１                                基材
１６２                                反射材
１８０                                両面テープ
１８１                                基材
２６０                                反射層
２６０ａ                              開口孔
２６１                                反射材
【図１】
2012174634.tif 000003
【図２】
2012174634.tif 000004
【図３】
2012174634.tif 000005
【図４】
2012174634.tif 000006
【図５】
2012174634.tif 000007
【図６】
2012174634.tif 000008
【図７】
2012174634.tif 000009
【図８】
2012174634.tif 000010
【図９】
2012174634.tif 000011
【図１０】
2012174634.tif 000012
【図１１】
2012174634.tif 000013
【図１２】
2012174634.tif 000014
【図１３】
2012174634.tif 000015
【図１４】
2012174634.tif 000016
【図１５】
2012174634.tif 000017
【図１６】
2012174634.tif 000018
【図１７】
2012174634.tif 000019
【図１８】
2012174634.tif 000020
【図１９】
2012174634.tif 000021
【図２０】
2012174634.tif 000022
【図２１】
2012174634.tif 000023
【図２２】
2012174634.tif 000024
【図２３】
2012174634.tif 000025
【図２４】
2012174634.tif 000026
【図２５】
2012174634.tif 000027
【図２６】
2012174634.tif 000028
【図２７】
2012174634.tif 000029
【図２８】
2012174634.tif 000030
【図２９】
2012174634.tif 000031
【図３０】
2012174634.tif 000032
【図３１】
2012174634.tif 000033
【図３２】
2012174634.tif 000034
【図３３】
2012174634.tif 000035
【図３４】
2012174634.tif 000036
【図３５】
2012174634.tif 000037
【図３６】
2012174634.tif 000038
【図３７】
2012174634.tif 000039
【図３８】
2012174634.tif 000040
【図３９】
2012174634.tif 000041
【図４０】
2012174634.tif 000042
【図４１】
2012174634.tif 000043
【図４２】
2012174634.tif 000044
【図４３】
2012174634.tif 000045